(57)【要約】【課題】従来の前入れ後出し方式による問題点を解消し、奥行き寸法を大きくしなくても、容易に郵便物、新聞等を収容することができる郵便受け用ポストを提供することをその課題とする。【解決手段】内部に収納空間を有するポスト本体１ａの上面と正面とにそれぞれ投入口５と取り出し口６とを形成し、上記投入口５と取り出し口６にそれぞれ開閉自在な上蓋７と取り出し蓋８を取り付けたことを特徴とする。  なお、上記ポスト本体１ａの背面にフック４を形成するのが好ましい。【選択図】図２
2006288470.tif 000002
【特許請求の範囲】
【請求項１】
内部に収納空間を有するポスト本体の上面に投入口を形成し、上記投入口に開閉自在な上蓋を取り付けたことを特徴とする郵便受け用ポスト。
【請求項２】
上記ポスト本体の正面にフックを形成したことを特徴とする、前記請求項１記載の郵便受け用ポスト。
【発明の詳細な説明】
【技術分野】
【０００１】
本発明は、一般住宅などに設けられる郵便受け用ポストに関するものである。
【背景技術】
【０００２】
一般に、この種のポストは、専用支柱、門柱あるいは玄関などに配置されているが、従来のポストは前入れ後出し方式のものがほとんどである。すなわち、ポストの投入口と取り出し口とはそれぞれ正面（前面）と背面（後面）とに形成されている。
【特許文献１】実開平２−１５０３９４号公報
【特許文献２】特開平１０−２０５２５６号公報
【発明の開示】
【発明が解決しようとする課題】
【０００３】
しかしながら、前入れ後出し方式では、ポストの内部空間の奥行きを大きくせざるを得ない。なぜならば、投入口は風雨の侵入や盗難を防止するために幅は狭く形成されているので、投入口から大型郵便物や新聞を投入するときに奥行きが小さいと、円滑に大型郵便物や新聞を投入することができない。狭い投入口から新聞や大型郵便物を投入するときに、上または下に斜めに傾けてこじ入れなければならないので、特に折り曲げできないようなものが内封されているときは、非常に投入しにくい。さらに、斜めに入れる構造では、内部空間に新聞や郵便物等が詰まってしまいやすく、この場合は後から投入したものが投入口から露出してしまい、安全上問題があった。
【０００４】
本発明は上記問題点を解消し、特に奥行き寸法を大きくしなくても、容易に郵便物等を収容することができる郵便受け用ポストを提供することをその課題とする。
【課題を解決するための手段】
【０００５】
前記課題を解決するため、請求項１に係る発明は、内部に収納空間を有するポスト本体の上面に投入口を形成し、上記投入口に開閉自在な上蓋を取り付けたことを特徴とする。
【０００６】
請求項２に係る発明は、上記ポスト本体の正面にフックを形成したことを特徴とする。
【発明の効果】
【０００７】
請求項１に係る発明によれば、郵便物等の投入口は上面に配置されているから、直接に投入口から内部に落とし込めばよく、斜めに差し入れる必要がないので、投入作業が容易である。また、奥行きを特に大きくするような必要はないから、全体を薄く形成することができる。
【０００８】
請求項２に係る発明によれば、正面のフックを利用して門扉の敷地内側からポストを例えば門扉の上框に係止して取り付けることができる。この場合、門扉にポスト機能を付加することができるとともに、門扉の敷地外側（道路側）からはポストの上部が一部見えるだけであるから、門扉の外観が損なわれることがない。
【発明を実施するための最良の形態】
【０００９】
図１は本発明のポストを門扉に取り付けた状態を敷地側からみた図、図２は図１の要部の拡大断面図であり、図３は投入口の上蓋と取り出し口の取り出し蓋の開き状態を示す拡大断面図である。
【００１０】
上図において符号１は郵便受け用ポスト、２は門扉、３は門柱を示す。門扉２は門柱３に対して回動開閉可能に取り付けられている。
【００１１】
ポスト１は、内部に郵便物等の収納空間を有し、その下面の一部が傾斜した略直方体形のポスト本体１ａの正面にフック４が設けられ、また上面には投入口５が、背面には取り出し口６がそれぞれ開口形成され、さらに投入口５と取り出し口６には上蓋７と取り出し蓋８が設けられているものである。
【００１２】
フック４は断面Ｌ字形に形成され、門扉２の上框２ａの幅よりやや大きくなるように形成されている。
【００１３】
投入口５はポスト本体１ａの上面の略全面に形成され、その正面側には、水平の受け面１０と受け面１０の先端に郵便物等の案内面１１が形成されている。投入口５の背面側には回動軸１２の取付用凹部１３が形成されている。受け面１０の中央には鉄片などの磁性体１４が設けられている。
【００１４】
投入口５には上蓋７が開閉可能に設けられている。上蓋７はポスト本体１ａの上面よりも一回り程度大きい上面板１５の四周に側面片１６を下方に折り曲げ形成するとともに、背面側は、ポスト本体１ａの投入口５の取付用凹部１３に設けられた回動軸１２を介して回動自在に連結されている。
【００１５】
なお、上面板１５の正面側中央には摘み１７が取り付けられ、その裏面側には永久磁石１８が取り付けられている。また、上記投入用上蓋７の両側には回動案内片１９が形成され、その先端には上記案内面１１の裏側に係合可能な係合部２０が形成されている。
【００１６】
上記投入部構成によれば、投入口５を閉じている状態では、上蓋７の永久磁石１８が投入口５の磁性体１４に磁着して簡単には回動できないようになっている。その吸引力に抗して上蓋７を上げれば投入口５を開口することができる。なお、上蓋７の回動端では回動案内片１９の先端係合部２０が案内面１１の裏側に係合してそれ以上の回動が規制される。
【００１７】
次に、取り出し口６はポスト本体１ａの正面の略３分の２を占めるほど大きく形成されている。
【００１８】
取り出し口６には取り出し蓋８が開閉可能に設けられている。取り出し蓋８の下部中央にはつまみ７が取り付けられ、中間部にはポスト本体１ａの内部を透視するための透視窓２１が形成されている。取り出し蓋８の上端は内方斜め上に屈曲して水切部２２が形成され、上部裏面は回動軸２３を介してポスト本体１ａに連結されている。
【００１９】
上記取り出し部構成によれば、取り出し蓋８の上端には水切部２２が延長形成されているので、取り出し口６の上端の隙間から入り込んだ雨水は上記水切部２２によって外に排出されるから、内部に雨水が進入するのを有効に防止することができる。
【００２０】
上述のように、ポスト１は、正面側のフック４を門扉２の上框２ａに係止してネジ止めすることにより門扉２に取り付けられているため、敷地外から見たとき、上部の上蓋７だけが門扉２の上部に突出し、ポスト１の大部分は敷地外からは見えない。配達人が郵便物、新聞等ａをポスト１に投入するときは、上部の上蓋７を回動軸１２を中心に上方に回動して投入口５を開き、中に落とし込んで投入すればよい。敷地内側から投入された郵便物、新聞等ａを取り出すときは、取り出し口６の取り出し蓋８を回動軸２３を中心に回動させて開き、中から取り出せばよい。
【００２１】
上述のように、配達人が郵便物、新聞等ａをポスト１に投入するときは、直接に上面の投入口５から内部に落とし込めばよいので、投入作業が容易である。また、郵便物、新聞等ａを斜めにこじ入れる必要がないので、ポスト１の奥行きは特に大きくしなくても、郵便物や新聞が折れたり破損したりすることがなく、全体を薄く形成することができる。このため、門扉２の回動操作に特に支障はない。
【００２２】
また、フック４を利用してポスト１を門扉２に取り付けることができるから、門扉２にポスト機能を付加することができるとともに、門扉２の敷地外側（道路側）からはポスト１の上部の上蓋７が見えるだけであるから、門扉２の外観が損なわれることがない。
【００２３】
なお、上記ポスト１を門扉２に取り付けるにあたっては、必ずしもフック４を利用する例に限定されない。門扉側に係止部を設けておき、この係止部にポストに形成した係止手段（溝、穴等）を係止させる構成であってもよい。
【００２４】
また、上記ポスト１は門扉２に取り付ける例に限定されない。例えば、玄関横の壁に取り付けることも可能である。もちろん、この場合は、壁側に適宜の取付部材を取り付けておき、この取付部材にポストの（フックに代えて他の）取付部を取り付けるようにすればよい。
【図面の簡単な説明】
【００２５】
【図１】本発明のポストを門扉に取り付けた状態を敷地側からみた図である。
【図２】図１の要部の拡大断面図である。
【図３】上蓋と取り出し蓋の開き状態を示す拡大断面図である。
【符号の説明】
【００２６】
１ａ  ポスト本体
４  フック
５  投入口
７  上蓋
【図１】
2006288470.tif 000003
【図２】
2006288470.tif 000004
【図３】
2006288470.tif 000005